(57)【要約】  本発明は、電源の停止の場合に電力を負荷へ提供するためのオフライン無停電電源装置（１００）、特に中電圧無停電電源装置の動作のための方法であって、無停電電源装置（１００）は、電源と負荷との間に配置された少なくとも１つの切断スイッチ（１１２）と、少なくとも１つのエネルギー貯蔵器（１１４）と、切断スイッチ（１１２）の負荷側で少なくとも１つのエネルギー貯蔵器（１１４）と負荷との間に配置された少なくとも１つの電力コンバータ（１１６）と、電源の停止の場合に少なくとも１つのエネルギー貯蔵器（１１４）から負荷へ電力を提供するように少なくとも１つの電力コンバータ（１１６）を制御するための制御装置（１２０）とを含み、方法は、電力品質イベントを識別するステップと、電力供給側品質イベントから負荷側イベントを分けるために、識別された電力品質イベントを区別するステップと、識別された電力品質イベントから電力供給側電力品質イベントを識別すると、少なくとも１つのエネルギー貯蔵器（１１４）から負荷へ電力を提供するステップとを含む、方法を提供する。本発明は、上述の方法を行なうためのオフライン無停電電源装置（１００）、特に中電圧無停電電源装置も提供する。
2018519783.tif 000002
【特許請求の範囲】
【請求項１】
電源の停止の場合に電力を負荷へ供給するためのオフライン無停電電源装置（１００）、特に中電圧無停電電源装置の動作のための方法であって、前記無停電電源装置（１００）は、
前記電源と前記負荷との間に配置された少なくとも１つの切断スイッチ（１１２）と、
少なくとも１つのエネルギー貯蔵器（１１４）と、
前記切断スイッチ（１１２）の負荷側（１０４）で前記少なくとも１つのエネルギー貯蔵器（１１４）と前記負荷との間に配置された少なくとも１つの電力コンバータ（１１６）と、
前記電源の停止の場合に前記少なくとも１つのエネルギー貯蔵器（１１４）から前記負荷へ電力を供給するように前記少なくとも１つの電力コンバータ（１１６）を制御するための制御装置（１２０）とを含み、
前記方法は、
電力品質イベントを識別するステップと、
電力供給側品質イベントから負荷側イベントを分けるために、識別された前記電力品質イベントを区別するステップと、
識別された電力品質イベントから電力供給側電力品質イベントを識別すると、前記少なくとも１つのエネルギー貯蔵器（１１４）から前記負荷へ電力を供給するステップと、
前記負荷に関してネットワークインピーダンス補償を行なうステップとを含み、
電力供給側品質イベントから負荷側イベントを分けるために、識別された前記電力品質イベントを区別するステップは、ネットワークインピーダンス補償された商用電圧および負荷電流を使用することを含む、方法。
【請求項２】
前記負荷に関してネットワークインピーダンス補償を行なうステップは、ネットワーク（１１９）のインピーダンス測定を行なうことを含むことを特徴とする、請求項１に記載の方法。
【請求項３】
前記ネットワークインピーダンス補償を行なうステップは、ネットワークインピーダンスにおける下流の負荷の乱れ、下流の負荷の高調波、および下流の障害の作用による電圧歪みを推定することにより、前記電源から供給されるような商用電圧に対する影響を鈍くすることを含むことを特徴とする、先行する請求項１または２のいずれか１項に記載の方法。
【請求項４】
前記少なくとも１つのエネルギー貯蔵器（１１４）から前記負荷へ電力を供給するステップは、前記少なくとも１つの切断スイッチ（１１２）を使用して前記電源装置を前記負荷から切り離すことを含むことを特徴とする、先行する請求項１〜３のいずれか１項に記載の方法。
【請求項５】
電源の停止の場合に電力を負荷へ供給するためのオフライン無停電電源装置（１００）、特に中電圧無停電電源装置であって、前記無停電電源装置（１００）は、
前記電源と前記負荷との間に配置された少なくとも１つの切断スイッチ（１１２）と、
少なくとも１つのエネルギー貯蔵器（１１４）と、
前記切断スイッチ（１１２）の負荷側で前記少なくとも１つのエネルギー貯蔵器（１１４）と前記負荷との間に配置された少なくとも１つの電力コンバータ（１１６）と、
前記電源の停止の場合に前記少なくとも１つのエネルギー貯蔵器（１１４）から前記負荷へ電力を供給するように前記少なくとも１つの電力コンバータ（１１６）を制御するための制御装置（１２０）とを含み、
前記制御装置（１２０）は、上述の方法請求項のいずれか１項に記載の方法を行なうように適合される、オフライン無停電電源装置。
【請求項６】
上述の方法請求項１〜４のいずれか１項に記載の方法ステップを行なうためのコンピュータ実行可能命令を含む、コンピュータプログラム製品。
【請求項７】
オフライン無停電電源装置（１００）をアップグレードするためのソフトウェアパッケージであって、前記ソフトウェアパッケージは、上述の方法請求項１〜４のいずれか１項に記載の方法を行なうように前記オフライン無停電電源装置（１００）を制御するための命令を含む、ソフトウェアパッケージ。
【発明の詳細な説明】
【技術分野】
【０００１】
本発明は、オフライン無停電電源装置の分野に関する。特に、本発明は、電源の停止の場合に電力を負荷へ供給するためのオフライン無停電電源装置、特に中電圧無停電電源装置の動作のための方法に言及する。
【背景技術】
【０００２】
三相の中電圧（medium voltage：ＭＶ）分配ネットワークでは、電気エネルギーは、低電圧（low-voltage：ＬＶ）ネットワークフィーダを通して異なる負荷に分配される。負荷はフィーダに接続されており、従来のＬＶ無停電電源装置（uninterruptable power supply：ＵＰＳ）を使用して保護され得る。しかしながら、各フィーダにおいてＵＰＳを接続することは費用がかかり、多くの空間を消費し、多くの保守を必要とし、低い全体的効率を提供し、複雑な監視制御を必要とする。中電圧レベルでの上流の電力品質イベントからの負荷の保護は、上述の欠点のほとんどを克服する。中電圧無停電電源装置（ＭＶ−ＵＰＳ）は、ＭＶレベルでの負荷のためのよりよい保護機構を装備する。既存のＭＶ−ＵＰＳのほとんどは、商用電力（utility）の乱れ、たとえば電源の停止が負荷から分離され得るように、ＵＰＳにおいてＡＣ／ＤＣ／ＡＣ変換が連続的に起こるオンラインＵＰＳシステム技術を使用する。
【０００３】
効率および信頼性を高めるために、およびコストを減少させるために、オンラインＵＰＳシステム技術は、ＭＶオフラインＵＰＳシステム技術と置換えられ得る。オフラインＵＰＳは、効率および設置面積が主な原価作用因である産業環境において、電力保護のためによく使用される。
【０００４】
オフラインＵＰＳシステムでは、下流側で設けられる負荷が、入来する商用電力供給部として上流側で設けられる電源に、電力バスによって直接接続されており、商用電力切断器とも呼ばれる切断スイッチが、電力バスに設けられる。電源は典型的には、送電網供給部（grid supply）である。オフラインＵＰＳは、電力コンバータを介して切断スイッチの下流で電力バスに接続されたエネルギー貯蔵器を含む。
【０００５】
オフラインＵＰＳが、電源における、電力品質イベントである電圧の乱れを検出すると、オフラインＵＰＳは、下流の負荷を電力コンバータを通してバックアップのエネルギー貯蔵器に振替える（transfer）。よって、切断スイッチは電源から負荷を切り離し、電力品質イベント中に下流の負荷が引き続き動作できるように、エネルギー貯蔵器からの電力が電力コンバータを介して電力バスへ供給される。切断スイッチをオフに切換えることによって電源を切り離し、負荷支持をエネルギー貯蔵器とともに電力コンバータに振替えるこのプロセスは、振替えとして公知である。電力品質イベントの場合にも負荷への確実で連続的な電力供給を可能にするために、ＭＶオフラインＵＰＳの最も重要な機能性のうちの１つは、電力品質イベントを識別することである。
【０００６】
しかしながら、三相のＭＶオフラインＵＰＳでは、上流の電力品質イベントを識別することは重大な任務である。電源からの商用供給電圧は、下流の電流およびネットワークインピーダンス相互作用による下流の負荷の乱れ、下流の負荷の高調波、および下流の障害に敏感である。
【０００７】
下流の障害により、下流の電流は蓄積する場合があり、ネットワークインピーダンスに対するその影響により、電源からの商用電圧がＭＶネットワーク電圧の許容限度を超えるようになるかもしれない。これにより、ＭＶオフラインＵＰＳは、電力品質イベントを検出し、下流の負荷をエネルギー貯蔵器からのバックアップに振替えるようになるかもしれない。したがって、電力品質イベントの誤った検出が起こるかもしれない。これは、動作時間の不必要な増加により、オフラインＵＰＳの寿命を減少させるかもしれない。これは、保守およびサービスのための労力の増加を生み出す。
【０００８】
さらに、下流の高い電流により、ＭＶオフラインＵＰＳは過負荷電流限度に達するかもしれず、それにより、それは、下流の負荷を制限することについて決断を下すようになる。よって、下流の障害の検出時に負荷制限のリスクがある。
【０００９】
下流の高い高調波負荷を有するＭＶ分配ネットワークは、オフラインＵＰＳが電力品質イベントをトリガするようになる著しい商用電圧歪みを生成する場合がある。
【００１０】
下流の負荷の乱れ、下流の負荷の高調波、および下流の障害に対する商用供給電圧の感度のさらに別の欠点は、商用供給電圧の不正確な追跡である。
【００１１】
この状況において、ＵＳ  ２００８／０８８１８３  Ａ１は、実質的に無停電の電力を負荷へ供給するための方法および装置に言及する。この装置は、電力貯蔵サブシステムおよび電力生成器と結合された制御システムを含む。制御システムは、静的補償器（static compensator：ＳＴＡＴＣＯＭ）モード、無停電電源装置（ＵＰＳ）モード、および生成器モード（gen set）を少なくとも含む複数の動作モードを提供し、複数のモードの各々の間の移行を制御するように構成される。制御システムは、電流制御システムと電圧制御システムとを含む一体化された閉ループ制御システムである。
【００１２】
さらに、文献ＵＳ  ６  ２１５  ２０２  Ｂ１は、シャント接続された超伝導エネルギー管理システム（superconducting energy management system：ＳＥＭＳ）に言及する。このＳＥＭＳは、商用送電網（utility grid）と、２メガワット（ＭＷ）〜２００ＭＷほどの範囲の所要電力を有する半導体製造工場などの電力に敏感な１つ以上の負荷との間の単一の切換え接続部で提供される。
【００１３】
さらに、ＵＳ  ５  １７２  ００９  Ａは、正常動作条件中に通常のＡＣ電力をＡＣ電源から臨界負荷へ供給し、ＡＣ電源の停止中に非常用ＡＣ電力を負荷へ供給するための待機電源システムに言及する。通常動作中、待機電源システムは、負荷によって引出された入力電流における望ましくない高調波成分を積極的に中和する。待機電源システムは、バックアップ電源に結合されたＤＣ側と、負荷およびＡＣ電源と並列のＡＣ側とを有する、電力変換装置を含む。高調波歪みセンサが、正常動作条件中に負荷によって引出された負荷電流の高調波歪み電流成分を感知する。コントローラが高調波歪みセンサに応答して、電力変換装置に高調波中和電流を生成させて、負荷によって生成された高調波歪み電流成分を実質的に中和する。
【発明の概要】
【発明が解決しようとする課題】
【００１４】
発明の開示
この発明の目的は、当該技術分野において公知のオフラインＵＰＳの上述の欠点のうちの少なくともいくつかを克服する、オフライン無停電電源装置の動作のための方法と、当該方法を行なうためのオフライン無停電電源装置とを提供することである。特に、この発明の目的は、オフラインＵＰＳの全体的性能を向上させ、ならびに／もしくは、下流の電流およびネットワークインピーダンス相互作用による下流の負荷の乱れ、下流の負荷の高調波、および下流の障害に対する感度を減少させ、ならびに／もしくは、電力品質イベントの誤った検出を減少させ、ならびに／もしくは、オフラインＵＰＳの寿命を増加させ、必要な保守およびサービスを減少させ、ならびに／もしくは、下流の障害の検出時の負荷制限のリスクの減少を示す、オフライン無停電電源装置の動作のための方法と、当該方法を行なうためのオフライン無停電電源装置とを提供することである。
【課題を解決するための手段】
【００１５】
この目的は、独立請求項によって達成される。有利な実施形態は、従属請求項で与えられる。
【００１６】
特に、本発明は、電源の停止の場合に電力を負荷へ供給するためのオフライン無停電電源装置、特に中電圧無停電電源装置の動作のための方法であって、無停電電源装置は、電源と負荷との間に配置された少なくとも１つの切断スイッチと、少なくとも１つのエネルギー貯蔵器と、切断スイッチの負荷側で少なくとも１つのエネルギー貯蔵器と負荷との間に配置された少なくとも１つの電力コンバータと、電源の停止の場合に少なくとも１つのエネルギー貯蔵器から負荷へ電力を供給するように少なくとも１つの電力コンバータを制御するための制御装置とを含み、方法は、電力品質イベントを識別するステップと、電力供給側品質イベントから負荷側イベントを分けるために、電力品質イベントを区別するステップと、識別された電力品質イベントから電力供給側電力品質イベントを識別すると、少なくとも１つのエネルギー貯蔵器から負荷へ電力を供給するステップと、負荷に関してネットワークインピーダンス補償を行なうステップとを含み、電力供給側品質イベントから負荷側イベントを分けるために、電力品質イベントを区別するステップは、ネットワークインピーダンス補償された商用電圧および負荷電流を使用することを含む、方法を提供する。
【００１７】
本発明はまた、電源の停止の場合に電力を負荷へ供給するためのオフライン無停電電源装置、特に中電圧無停電電源装置であって、無停電電源装置は、電源と負荷との間に配置された少なくとも１つの切断スイッチと、少なくとも１つのエネルギー貯蔵器と、切断スイッチの負荷側で少なくとも１つのエネルギー貯蔵器と負荷との間に配置された少なくとも１つの電力コンバータと、電源の停止の場合に少なくとも１つのエネルギー貯蔵器から負荷へ電力を供給するように少なくとも１つの電力コンバータを制御するための制御装置とを含み、制御装置は上述の方法を行なうように適合される、オフライン無停電電源装置を提供する。
【００１８】
本発明はさらに、上述の方法を行なうためのコンピュータ実行可能命令を含む、コンピュータプログラム製品を提供する。
【００１９】
本発明はさらに、オフライン無停電電源装置をアップグレードするためのソフトウェアパッケージであって、ソフトウェアパッケージは、上述の方法を行なうようにオフライン無停電電源装置を制御するための命令を含む、ソフトウェアパッケージを提供する。
【００２０】
この発明の基本的な考え方は、上流の電力品質イベントの確実な検出を可能にすることである。これは、たとえば、上流の電力品質イベントと下流のイベントとの区別を含み、下流のイベントは、たとえば負荷が起動されて電源からの電力引出しを開始する際に、特に負荷によって生じる。よって、電力品質イベントが検出されると、負荷側イベントと電力供給側品質イベントとを見分けるために、区別が行なわれる。電力品質イベントが電力供給側電力品質イベントとして識別された場合のみ、電源からエネルギー貯蔵器への電力供給の振替えが行なわれ、そのため、エネルギー貯蔵器からの電力が負荷へ供給される。
【００２１】
したがって、オフラインＵＰＳから負荷への電力供給は、電力品質イベントが電力供給側の、すなわち上流の電力品質イベントである場合に限定され得る。また、電力品質イベントの誤った検出を減少させ、さらには回避することができる。これは、起動時間の減少により、オフラインＵＰＳの寿命を増加させ得る。これは、保守およびサービスのための労力の減少を生み出す。また、下流の障害の検出時に下流の負荷を制限するリスクを減少させることができ、電源から供給されるような商用供給電圧の追跡における精度を高めることができる。
【００２２】
この発明の利点は、受動負荷切換えによる瞬間的な電圧の乱れまたは回転機械の始動プロセスによる電圧歪みの拒否、ＭＶ分配ネットワークが障害を取り除くことを可能にする下流のフィーダの障害の識別、電力品質イベント時の電源への負荷のフィードバックのようなシナリオにおける電力品質イベントの識別、および、ＭＶ分配ネットワーク電圧の追跡における精度の増加、におけるオフラインＵＰＳの強化を含む。ネットワークとは、電気エネルギーを異なる負荷に分配するための分配ネットワークを指す。電気エネルギーは好ましくは、低電圧（ＬＶ）ネットワークフィーダを通して異なる負荷へ供給される。よって、ネットワークは電力バスを含む。
【００２３】
さらに別の利点は、この方法が、たとえば異なる種類のエネルギー貯蔵器および／または異なるアーキテクチャのオフラインＵＰＳを含む、異なるオフラインＵＰＳトポロジで実現され得るということである。さらに、この方法はまた、既存のオフラインＵＰＳで、ソフトウェア、特に制御装置の制御ソフトウェアの単なる変更によって実現され得る。よって、既存のオフラインＵＰＳは、この発明に従って容易に改良され得る。
【００２４】
オフラインＵＰＳを含むシステムでは、負荷は、オフラインＵＰＳの下流側で設けられ、電源に直接接続される。電源は、入来する商用電力供給部、典型的には送電網供給部としてオフラインＵＰＳの上流側で設けられている。負荷と電源との接続は、ケーブルまたはレールを含み得る電力バスによって達成される。電力バスは典型的には既存のシステム設置を指すため、それは典型的にはオフラインＵＰＳの一部とは考えられないが、オフラインＵＰＳは、電力接続を提供するためのケーブルおよび／またはバスバーも含む。
【００２５】
少なくとも１つの電力コンバータを制御するための制御装置は、システム設計に依存して、少なくとも１つの電力コンバータと一体的に設けられ、または別個の装置として設けられ得る。制御装置は、オフラインＵＰＳ全体の制御を行なう。オフラインＵＰＳの異なるコンポーネント、特に少なくとも１つの電力コンバータは独立して、それぞれのコンポーネントの内部制御を行なうための個別の制御ユニットを含んでいてもよい。制御装置には、オフラインＵＰＳのコンポーネントのうちの１つが一体的に設けられてもよい。
【００２６】
商用電圧とは、電源から供給される電圧を指す。これにより、中電圧分配ネットワークのインピーダンスにおける負荷の乱れ、高調波負荷、および下流の障害によって生じる電圧歪みの推定が可能になる。ネットワークインピーダンス補償はまた、下流の負荷の乱れ、下流の負荷の高調波、および下流の障害に対する商用供給電圧の感度を減少させ、そのため、商用供給電圧の追跡精度が高まる。
【００２７】
ネットワークとは、電力バスを含む、電気エネルギーを負荷に分配するための分配ネットワークを指す。電気エネルギーは好ましくは、低電圧（ＬＶ）ネットワークフィーダを通して負荷へ供給される。
【００２８】
この発明の修正された実施形態によれば、負荷に関してネットワークインピーダンス補償を行なうステップは、ネットワークのインピーダンス測定を行なうことを含む。したがって、インピーダンスは常に最新であるといつでも判断可能であり、そのため、インピーダンスの補償を確実に行なうことができる。これに代えて、ネットワークインピーダンスを、たとえばネットワーク設計から導き出すことができる。インピーダンス測定を行なうための方法自体は公知であり、したがって詳細には説明されない。
【００２９】
この発明の修正された実施形態によれば、ネットワークインピーダンス補償を行なうステップは、ネットワークインピーダンスにおける下流の負荷の乱れ、下流の負荷の高調波、および下流の障害の作用による電圧歪みを推定することにより、電源から供給されるような商用電圧に対する影響を鈍くすることを含む。ここに説明されるようなネットワークインピーダンス補償は、オフラインＵＰＳの下流側で起こる影響に基づく電力品質イベントと上流の電力品質イベントとの確実な区別を可能にし、上流の電力品質イベントはオフラインＵＰＳの介入を必要とし、すなわち、電源から、少なくとも１つの電力コンバータを介する少なくとも１つのエネルギー貯蔵器からの電力供給への振替えを必要とする。よって、制御装置は、上流の電力品質イベントを識別するために後処理される電力品質イベントの検出を行なうことができ、または、上流の電力品質イベントのみが検出されるように電力品質イベントの検出自体を修正することができる。
【００３０】
この発明の修正された実施形態によれば、少なくとも１つのエネルギー貯蔵器から負荷へ電力を供給するステップは、少なくとも１つの切断スイッチを使用して電源装置を負荷から切り離すことを含む。電源から負荷を切り離すことは、電源からエネルギー貯蔵器への電力供給の効率的な振替えを可能にする。
【００３１】
図面の簡単な説明
この発明のこれらのおよび他の局面は、以下に説明される実施形態から明らかになり、当該実施形態を参照して説明されるであろう。
【図面の簡単な説明】
【００３２】
【図１】第１の実施形態に従ったオフライン無停電電源装置の概略図である。
【発明を実施するための形態】
【００３３】
発明の詳細な説明
図１は、この発明の第１の好ましい実施形態に従ったオフライン無停電電源装置１００（オフラインＵＰＳ）を示す。第１の実施形態に従ったオフラインＵＰＳ１００は、中電圧無停電電源装置である。
【００３４】
動作のために、オフラインＵＰＳ１００は、負荷側である下流側１０４で負荷に接続され、電力供給側である上流側１０８で電源に接続される。負荷および電源は、図面には示されていない。この実施形態における電源は、商用電圧を供給する送電網供給部である。負荷と電源装置とは、ケーブルまたはバスバーを含む電力バス１１０によって相互接続される。この実施形態における電力バス１１０はオフラインＵＰＳ１００の一部と考えられるが、電力バス１１０はまた、電源と負荷とを相互接続するためのシステム設置の一部であり得る。なお、この点で、負荷は、電力バス１１０に個別に接続された個別の負荷ユニットを含んでいてもよい。負荷ユニットはともに負荷を形成する。
【００３５】
オフラインＵＰＳ１００は、電源と負荷との間の電力バス１１０に配置された切断スイッチ１１２を含む。オフラインＵＰＳ１００はさらに、エネルギー貯蔵器１１４と電力コンバータ１１６とを含み、電力コンバータ１１６はエネルギー貯蔵器１１４を電力バス１１０に接続する。電力コンバータ１１６は、切断スイッチ１１２の下流側１０４で電力バス１１０に接続される。
【００３６】
さらに、この実施形態におけるオフラインＵＰＳ１００は、必要に応じて電圧適合を行なうために設けられたいくつかの結合トランス１１８を含む。１つの結合トランス１１８が電力コンバータ１１６と電力バス１１０との間に設けられる。さらに別の結合トランス１１８が切断スイッチ１１２の上流側で設けられる。さらに別の結合トランス１１８が電力バス１１０の下流側で設けられ、接続された負荷のために電圧適合を行なう。負荷ユニットを接続する結合トランス１１８は、ネットワークフィーダ、またはフィーダとも呼ばれる。
【００３７】
負荷を電力バス１１０とともにオフラインＵＰＳ１００に接続することは、電気エネルギーを負荷に、すなわち負荷ユニットに分配するためのネットワーク１１９、特に分配ネットワークを形成する。よって、ネットワーク１１９は電力バス１１０を含む。
【００３８】
第１の実施形態によれば、オフラインＵＰＳ１００は制御装置１２０も含む。制御装置１２０は、オフラインＵＰＳ１００全体の制御を行なう。この実施形態における制御装置１２０は、個別の装置として設けられる。代替的な一実施形態では、制御装置１２０は、電力コンバータ１１６と一体的に設けられる。
【００３９】
通信リンク１２２が、切断スイッチ１１２、電力コンバータ１１６、および制御装置１２０を相互接続する。通信リンク１２２は、工業的に頑強な、低遅延および／または長距離の通信リンクである。通信リンク１２２は、オフラインＵＰＳ１００のすべてのコンポーネントが接続される通信バスとして設けられる。代替的な一実施形態では、オフラインＵＰＳ１００のコンポーネントはすべて、制御装置１２０に個別に接続される。通信リンク１２２は、光ファイバーに基づく物理リンクを含む。これに代えて、物理リンクはツイストペア接続に基づく。通信リンク１２２は、低遅延の高速長距離通信リンク１２２を可能にする。この実施形態では、カスタム通信プロトコルが実現される。代替的な一実施形態では、既存の工業通信プロトコルが採用される。
【００４０】
次に、オフラインＵＰＳ１００の動作を説明する。
オフラインＵＰＳ１００の基本動作は、電力品質イベント、たとえば電源の停止の場合にエネルギー貯蔵器１１４から負荷へ電力を供給することである。電力品質イベントは、負荷の動作を危険にさらし得るあらゆるイベント、特に電圧降下、電源の完全停止、または電源における電圧の乱れを含む。
【００４１】
制御装置１２０は、電力品質イベントについて電源を連続的に監視する。オンラインＵＰＳとは対照的に、オフラインＵＰＳ１００は、電力品質イベントが検出されない限り受動的である。制御装置１２０が電力品質イベントを検出した場合、制御装置１２０は、電力コンバータ１１６を介して電源からエネルギー貯蔵器１１４に電力供給の振替えを行なう。振替え中、制御装置１２０は、切断スイッチ１１２を使用して電源装置を負荷から切り離し、負荷を支持するために電力コンバータ１１６を起動する。
【００４２】
電力品質イベントを識別すると、制御装置１２０は、電力供給側品質イベントから負荷側イベントを分けるために、電力品質イベントを区別する。負荷側イベントとは、たとえば負荷が起動されて電源からの電力引出しを開始する際に、特に負荷によって生じるイベントである。したがって、受動負荷切換えによる瞬間的な電圧の乱れ、または、負荷の一部である回転機械の始動プロセスによる電圧歪みを克服することができ、それにより、たとえば下流のフィーダの障害の識別が可能になり、そのため、負荷側１０４の分配ネットワーク１１９は障害を取り除くことができる。
【００４３】
これは、負荷に関してネットワークインピーダンス補償を行なうことを含む。したがって、電力供給側品質イベントから負荷側イベントを分けるために電力品質イベントを区別することは、ネットワークインピーダンス補償された商用電圧および負荷電流を使用することを含む。商用電圧とは、電源から供給される電圧を指す。よって、分配ネットワークのインピーダンスにおける負荷の乱れ、高調波負荷、および下流の障害によって生じる電圧歪みの推定が行なわれる。ネットワークインピーダンス補償の根拠は、ネットワークインピーダンス補償のステップとともに行なわれる、ネットワーク１１９のインピーダンス測定である。
【００４４】
ネットワークインピーダンス補償を行なうことはまた、ネットワークインピーダンスにおける下流の負荷の乱れ、下流の負荷の高調波、および下流の障害の作用による電圧歪みを推定することにより、電源から供給されるような商用電圧に対する影響を鈍くすることを含む。このネットワークインピーダンス補償は、オフラインＵＰＳ１００の下流側１０４で起こる影響に基づく電力品質イベントと上流の電力品質イベントとの区別の根拠であり、上流の電力品質イベントはオフラインＵＰＳ１００の介入を必要とし、すなわち、電源から、電力コンバータ１１６を介するエネルギー貯蔵器１１４からの電力供給への振替えを必要とする。
【００４５】
さらに、識別された電力品質イベントから電力供給側電力品質イベントを識別すると、制御装置１２０は、上述のように、電力コンバータ１１６を介して電源からエネルギー貯蔵器１１４に電力供給の振替えを行なう。
【００４６】
この発明を図面に示し、前述の説明で詳細に説明してきたが、そのような図示および説明は例示的で、限定的ではないと考えられるべきであり、この発明は、開示された実施形態に限定されない。開示された実施形態への他の変更は、当業者が請求された発明を実践する際に図面、開示、および添付された請求項を検討すれば、当業者によって理解され行なわれ得る。請求項において、「含む」（comprising）という文言は他の要素またはステップを除外せず、また、単数（a, an）は複数を除外しない。ある措置が互いに異なる従属クレームに記載されるという単なる事実は、これらの措置の組合せを有利に使用することができないということを示さない。請求項におけるどの参照符号も、範囲を限定するとして解釈されるべきでない。
【符号の説明】
【００４７】
参照符号リスト
１００  オフライン無停電電源装置、オフラインＵＰＳ
１０４  下流側、負荷側
１０８  上流側、電力供給側
１１０  電力バス
１１２  切断スイッチ
１１４  エネルギー貯蔵器
１１６  電力コンバータ
１１８  結合トランス
１１９  ネットワーク
１２０  制御装置
１２２  通信リンク
【図１】
2018519783.tif 000003
【国際調査報告】
2018519783.tif 000004
2018519783.tif 000005